(57)【要約】【課題】  一般の利用者がパスワード入力に戸惑うことなく、ショルダーサーフィンによるパスワードの盗難がされ難いパスワード入力装置およびパスワード入力方法を提供すること。【解決手段】  入力値一部分表示領域３４ａおよびスライド用入力操作部３４ｂ，３４ｃを表示するパスワード入力画面３４と、パスワード入力画面３４を表示するパスワード入力画面表示操作部１６と、入力値表３６の入力値表示部分をスライドさせて表示する入力値表示部分スライド手段Ｃ８Ｂと、入力値を検出する入力値選択検出部材１６ｂと、入力値を検出する選択入力値検出記憶手段Ｃ８Ｃと、選択入力値を一時記憶する選択入力値一時記憶メモリＣ８Ｃ１と、パスワードを記憶するパスワード記憶メモリＣ８Ｄ１と、選択入力値がパスワードとして正しいか否かを判別するパスワード判別手段Ｃ８Ｄと、を有するパスワード入力装置４。【選択図】  図２
2007148658.tif 000002
【特許請求の範囲】
【請求項１】
次の構成要件（Ａ01）〜（Ａ09）を備えたパスワード入力装置
（Ａ01）パスワード入力画面表示操作部が操作された時にパスワード入力画面を表示する表示器、
（Ａ02）所定の規則性を持って複数の異なる入力値が配置された入力値表の一部分が所定のスライド方向にスライド可能に表示される入力値一部分表示領域が表示された前記パスワード入力画面、
（Ａ03）前記入力値一部分表示領域に表示される前記入力値表の一部分である入力値表示部分をスライドさせるスライド用入力操作部、
（Ａ04）前記スライド用入力操作部が操作された時に前記操作に応じて前記入力値一部分表示領域に表示された前記入力値表の一部分である前記入力値表示部分がスライドしたときに前記入力値表の前記一部分に隣接して配置された他の部分を前記入力値一部分表示領域にスライドさせて表示する入力値表示部分スライド手段、
（Ａ05）前記入力値一部分表示領域に表示された前記入力値が選択されたことを検出する入力値選択検出部材、
（Ａ06）前記入力値選択検出部材の検出信号に応じて前記選択された入力値を検出する選択入力値検出記憶手段、
（Ａ07）前記選択入力値検出記憶手段により検出された選択入力値を選択された順に一時記憶する選択入力値一時記憶メモリ、
（Ａ08）パスワードを記憶するパスワード記憶メモリ、
（Ａ09）前記選択入力値一時記憶メモリに記憶された選択入力値が前記パスワードとして正しいか否かを判別するパスワード判別手段。
【請求項２】
次の構成要件（Ａ010）を備えた請求項１記載のパスワード入力装置、
（Ａ010）前記パスワード入力画面表示操作部の操作時に表示されるパスワード入力画面において最初に表示される前記入力値表の一部分を、ランダムに設定する入力値表初期表示部分設定手段。
【請求項３】
次の構成要件（Ａ011），（Ａ012）を備えた請求項１または２記載のパスワード入力装置、
（Ａ011）前記入力値一部分表示領域に表示される前記入力値表の一部分を、左右方向、上下方向、または斜め方向のうちの、少なくとも１つの方向にスライドさせる前記スライド用入力操作部、
（Ａ012）前記スライド方向が明示されたスライド用入力操作部。
【請求項４】
次の構成要件（Ａ013）を備えた請求項１ないし３のいずれか記載のパスワード入力装置、
（Ａ013）前記入力値表の外端に配置された入力値が前記入力値一部分表示領域に表示された場合には、表示された入力値が外端に配置された入力値であることを表示する外端入力値表示手段。
【請求項５】
次の構成要件（Ａ014）を備えた請求項１ないし４のいずれか記載のパスワード入力装置、
（Ａ014）前記パスワード入力画面に重ねて配置されたタッチパネルにより構成された前記入力値選択検出部材。
【請求項６】
次の工程（Ｂ01）〜（Ｂ06）を備えたパスワード入力方法、
（Ｂ01）所定の規則性を持って複数の異なる入力値が配置された入力値表の一部分を所定のスライド方向にスライド可能に表示する入力値一部分表示工程、
（Ｂ02）前記入力値一部分表示領域に表示された前記入力値表の一部分である入力値表示部分をスライドさせる入力値表示部分スライド工程、
（Ｂ03）前記入力値一部分表示領域に表示された前記入力値が選択されたことを検出する入力値選択検出工程、
（Ｂ04）前記入力値選択検出部材の検出信号に応じて前記選択された入力値を検出する選択入力値検出工程
（Ｂ05）前記選択された入力値である選択入力値を選択された順に一時記憶する選択入力値一時記憶工程、
（Ｂ06）前記選択入力値一時記憶メモリに記憶された選択入力値がパスワード記憶メモリに記憶されたパスワードとして正しいか否かを判別するパスワード判別工程。
【発明の詳細な説明】
【技術分野】
【０００１】
本発明は、銀行や信用金庫、郵政公社等のＡＴＭ（Automated  Teller  Machine）等のパスワードを入力要求するパスワード装置およびパスワード入力方法に関し、特にタッチパネルが装着された表示器に表示されるアイコンによりパスワードを入力するパスワード装置およびパスワード入力方法に関する。
【背景技術】
【０００２】
銀行や信用金庫、郵政公社等のＡＴＭ（Automated  Teller  Machine）等は、不正使用防止のため、暗証番号（パスワード）を入力する操作が要求される。しかし、従来の暗証番号入力方法では、利用者のパスワード入力時にショルダーサーフィン（肩越しに暗証番号やパスワードを盗み見ること）により他者に暗証番号を盗み見られるおそれがある。
前記ショルダーサーフィンを防止するための技術としては、次の特許文献（Ｊ01）記載の技術が従来公知である。
（Ｊ01）特許文献１（特開２００３−３３０８８８号公報）記載の技術
特許文献１には、円形に沿って０〜１の数字キーを、数字の順序に規則性を持たせて一方向に配列すると共に、基本となる０の数字キーを他の数字キーと識別できるように色を異ならせたキーパターンを作り、このキーパターンを表示部１に表示して暗証番号を入力させ、１桁数字を入力する毎に、数字の並びに規則性を替えることなく数字の位置をずらすように制御する技術が記載されている。
【０００３】
【特許文献１】特開２００３−３３０８８８号公報（段落番号「００２０」〜「００２１」、第２図等参照）
【発明の開示】
【発明が解決しようとする課題】
【０００４】
（前記（Ｊ01）特許文献１記載の技術の問題点）
前記特許文献１記載の技術では、円形に沿って規則性をもたせた数字の入力に伴って、入力者の意思に関係なく自動で数字の位置がずれるので、一般の利用者にとっては不自然に感じるおそれがあり、操作性が低下する問題点がある。
さらに、暗証番号が数字（０〜９）である場合は、円形に沿って全ての数字（０〜９）を表示することもできるが、カナ、英語、記号等の入力値（入力要素）が多数必要なパスワードである場合、円形に沿って表示することが困難という問題もある。
【０００５】
本発明は、前述の事情に鑑み、次の記載内容（Ｏ01）を技術的課題とする。
（Ｏ01）一般の利用者がパスワード入力に戸惑うことなく、且つショルダーサーフィン等によるパスワードの盗難がされにくいパスワード入力装置およびパスワード入力方法を提供すること。
【課題を解決するための手段】
【０００６】
（本発明）
次に、前記課題を解決した本発明を説明するが、本発明の要素には、後述の実施の形態の具体例（実施例）の要素との対応を容易にするため、実施例の要素の符号をカッコで囲んだものを付記する。また、本発明を後述の実施例の符号と対応させて説明する理由は、本発明の理解を容易にするためであり、本発明の範囲を実施例に限定するためではない。
【０００７】
（第１発明）
前記技術的課題を解決するために、第１発明のパスワード入力装置は、下記の構成要件（Ａ01）〜（Ａ09）を備えたことを特徴とする。
（Ａ01）パスワード入力画面表示操作部（１６）が操作された時にパスワード入力画面（３４）を表示する表示器（１６ａ）、
（Ａ02）所定の規則性を持って複数の異なる入力値が配置された入力値表３６，４１〜４４，３６′，４２′，４２″）の一部分が所定のスライド方向にスライド可能に表示される入力値一部分表示領域（３４ａ）が表示された前記パスワード入力画面（３４）、
（Ａ03）前記入力値一部分表示領域（３４ａ）に表示される前記入力値表の一部分である入力値表示部分をスライドさせるスライド用入力操作部（３４ｂ，３４ｃ）、
（Ａ04）前記スライド用入力操作部（３４ｂ，３４ｃ）が操作された時に前記操作に応じて前記入力値一部分表示領域（３４ａ）に表示された前記入力値表（３６，４１〜４４，３６′，４２′，４２″）の一部分である前記入力値表示部分がスライドしたときに前記入力値表（３６，４１〜４４，３６′，４２′，４２″）の前記一部分に隣接して配置された他の部分を前記入力値一部分表示領域（３４ａ）にスライドさせて表示する入力値表示部分スライド手段（Ｃ８Ｂ）、
（Ａ05）前記入力値一部分表示領域（３４ａ）に表示された前記入力値が選択されたことを検出する入力値選択検出部材（タッチパネル、１６ｂ）、
（Ａ06）前記入力値選択検出部材（１６ｂ）の検出信号に応じて前記選択された入力値を検出する選択入力値検出記憶手段（Ｃ８Ｃ）、
（Ａ07）前記選択入力値検出記憶手段（Ｃ８Ｃ）により検出された選択入力値を選択された順に一時記憶する選択入力値一時記憶メモリ（Ｃ８Ｃ１）、
（Ａ08）パスワードを記憶するパスワード記憶メモリ（Ｃ８Ｄ１）、
（Ａ09）前記選択入力値一時記憶メモリ（Ｃ８Ｃ１）に記憶された選択入力値が前記パスワードとして正しいか否かを判別するパスワード判別手段（Ｃ８Ｄ）。
【０００８】
（第１発明の作用）
前記構成要件（Ａ01）〜（Ａ08）を備えた第１発明のパスワード入力装置では、パスワード入力画面表示操作部（１６）は、操作された時にパスワード入力画面（３４）を表示する。
前記パスワード入力画面（３４）は、所定の規則性を持って複数の異なる入力値が配置された入力値表（３６，４１〜４４，３６′，４２′，４２″）の一部分が所定のスライド方向にスライド可能に表示される入力値一部分表示領域（３４ａ）と、前記入力値一部分表示領域（３４ａ）に表示される前記入力値表（３６，４１〜４４，３６′，４２′，４２″）の一部分である入力値表示部分をスライドさせるスライド用入力操作部（３４ｂ，３４ｃ）とが表示される。
表示器（１６ａ）は、パスワード入力画面表示操作部（１６）が操作された時にパスワード入力画面（３４）を表示する。
前記パスワード入力画面（３４）には、所定の規則性を持って複数の異なる入力値が配置された入力値表３６，４１〜４４，３６′，４２′，４２″）の一部分が所定のスライド方向にスライド可能に表示される入力値一部分表示領域（３４ａ）が表示される。
スライド用入力操作部（３４ｂ，３４ｃ）は、前記入力値一部分表示領域（３４ａ）に表示される前記入力値表の一部分である入力値表示部分をスライドさせる。
入力値表示部分スライド手段（Ｃ８Ｂ）は、前記スライド用入力操作部（３４ｂ，３４ｃ）の操作時に前記操作に応じて前記入力値一部分表示領域（３４ａ）に表示された前記入力値表（３６，４１〜４４，３６′，４２′，４２″）の一部分である前記入力値表示部分がスライドしたときに、前記入力値表（３６，４１〜４４，３６′，４２′，４２″）の前記一部分に隣接して配置された他の部分を前記入力値一部分表示領域（３４ａ）にスライドさせて表示する。
入力値選択検出部材（１６ｂ）は、前記入力値一部分表示領域（３４ａ）に表示された前記入力値が選択されたことを検出する。
選択入力値検出記憶手段（Ｃ８Ｃ）は、前記入力値選択検出部材（１６ｂ）の検出信号に応じて前記選択された入力値を検出する。
選択入力値一時記憶メモリ（Ｃ８Ｃ１）は、前記選択入力値検出記憶手段（Ｃ８Ｃ）により検出された選択入力値を選択された順に一時記憶する。
パスワード記憶メモリ（Ｃ８Ｄ１）は、パスワードを記憶する。
パスワード判別手段（Ｃ８Ｄ）は、前記選択入力値一時記憶メモリ（Ｃ８Ｃ１）に記憶された選択入力値が前記パスワードとして正しいか否かを判別する。
【０００９】
前述の第１発明のパスワード入力装置（４）は、入力値表（３６，４１〜４４，３６′，４２′，４２″）の複数の入力値が所定の規則性を持って配置されているため、一般の利用者がパスワード入力に戸惑うことがない。前記入力値一部分表示領域（３４ａ）に表示される入力値表示部分は、前記入力値表（３６，４１〜４４，３６′，４２′，４２″）の一部分であるため、カナ、英語、記号等の入力要素（アイコン等）が多数必要なパスワードでも省スペースで実施可能である。
第１発明のパスワード入力装置（４）の利用者は、所望の方向に前記入力値一部分表示領域（３４ａ）に表示された入力値表（３６，４１〜４４，３６′，４２′，４２″）の入力値表示部分をスライドさせることができるので、前記入力値表示部分をスライドさせてもパスワード入力を違和感なく実行することができる。さらに、前記入力値一部分表示領域（３４ａ）の入力値表示部分をスライドさせることにより、特定の位置に固定の入力値がないため、ショルダーサーフィン等によるパスワードの盗難を低減させることができる。
【００１０】
（第１発明の形態１）
第１発明の形態１のパスワード入力装置は、前記第１発明において、下記の構成要件（Ａ010）を備えたことを特徴とする。
（Ａ010）前記パスワード入力画面表示操作部（１６）の操作時に表示されるパスワード入力画面（３４）において最初に表示される前記入力値表（３６，４１〜４４，３６′，４２′，４２″）の一部分を、ランダムに設定する入力値表初期表示部分設定手段（Ｃ８Ａ）。
【００１１】
（第１発明の形態１の作用）
前記構成要件（Ａ010）を備えた第１発明の形態１のパスワード入力装置では、入力値表初期表示部分設定手段（Ｃ８Ａ）は、前記パスワード入力画面表示操作部（１６）の操作時に表示されるパスワード入力画面（３４）において最初に表示される前記入力値表（３６，４１〜４４，３６′，４２′，４２″）の一部分を、ランダムに設定する。
前述の第１発明の形態１のパスワード入力装置（４）は、パスワード入力画面（３４）において最初に表示される前記入力値表（３６，４１〜４４，３６′，４２′，４２″）の一部分がランダムに設定されるため、特定の位置に固定の入力値がないので、ショルダーサーフィン等によるパスワードの盗難を低減させることができる。さらに、パスワード入力操作後のパスワード入力画面（３４）において、入力跡（パスワード入力画面表示操作部１６上の指紋等）によるパスワード推測が困難になるため、パスワード盗難を低減させることができる。
【００１２】
（第１発明の形態２）
第１発明の形態２のパスワード入力装置は、前記第１発明または第１発明の形態１において、下記の構成要件（Ａ011），（Ａ012）を備えたことを特徴とする。
（Ａ011）前記入力値一部分表示領域（３４ａ）に表示される前記入力値表（３６，４１〜４４，３６′，４２′，４２″）の一部分を、左右方向、上下方向、または斜め方向のうちの、少なくとも１つの方向にスライドさせる前記スライド用入力操作部（３４ｂ，３４ｃ）、
（Ａ012）前記スライド方向が明示されたスライド用入力操作部（３４ｂ，３４ｃ）。
【００１３】
（第１発明の形態２の作用）
前記構成要件（Ａ011），（Ａ012）を備えた第１発明の形態２のパスワード入力装置では、前記スライド用入力操作部（３４ｂ，３４ｃ）は、前記入力値一部分表示領域（３４ａ）に表示される前記入力値表（３６，４１〜４４，３６′，４２′，４２″）の一部分を、左右方向、上下方向、または斜め方向のうちの、少なくとも１つの方向にスライドさせる。前記スライド用入力操作部（３４ｂ，３４ｃ）は、前記スライド方向が明示される。
前述の第１発明の形態２のパスワード入力装置（４）は、左右方向、上下方向、または斜め方向等の種々の方向に操作することができるため、パスワード入力時の操作性が向上する。さらに、カナ、英語、記号等の入力要素（アイコン等）が多数必要なパスワードの場合は、選択したい入力値の検索が容易になる。
【００１４】
（第１発明の形態３）
第１発明の形態３のパスワード入力装置は、前記第１発明または第１発明の形態１もしくは２において、下記の構成要件（Ａ013）を備えたことを特徴とする。
（Ａ013）前記入力値表（３６，４１〜４４，３６′，４２′，４２″）の外端に配置された入力値が前記入力値一部分表示領域（３４ａ）に表示された場合には、表示された入力値が外端に配置された入力値であることを表示する外端入力値表示手段（Ｃ８Ｅ）。
【００１５】
（第１発明の形態３の作用）
前記構成要件（Ａ013）を備えた第１発明の形態３のパスワード入力装置では、外端入力値表示手段（Ｃ８Ｅ）は、前記入力値表（３６，４１〜４４，３６′，４２′，４２″）の外端に配置された入力値が前記入力値一部分表示領域（３４ａ）に表示された場合には、表示された入力値が外端に配置された入力値であることを表示する。
前述の第１発明の形態３のパスワード入力装置（４）は、前記入力値表（３６，４１〜４４，３６′，４２′，４２″）の外端が利用者に明示されているため、入力値表示部分をスライドさせる方向を容易に判断することができる。このため、パスワード入力に戸惑うことがない。
【００１６】
（第１発明の形態４）
第１発明の形態４のパスワード入力装置は、前記第１発明または第１発明の形態１ないし３のいずれかにおいて、下記の構成要件（Ａ014）を備えたことを特徴とする。
（Ａ014）前記パスワード入力画面（３４）に重ねて配置されたタッチパネル（１６ｂ）により構成された前記入力値選択検出部材（１６ｂ）。
（第１発明の形態４の作用）
前記構成要件（Ａ014）を備えた第１発明の形態４のパスワード入力装置では、前記入力値選択検出部材（１６ｂ）は、前記パスワード入力画面（３４）に重ねて配置されたタッチパネル（１６ｂ）により構成されている。したがって、前記パスワード入力画面（３４）に表示された入力値をユーザの指先などで選択すると、タッチパネル（１６ｂ）により、前記入力値が選択されたことを検出することができる。
【００１７】
（第２発明）
第２発明のパスワード入力方法は、下記の工程（Ｂ01）〜（Ｂ06）を備えたことを特徴とする。
（Ｂ01）所定の規則性を持って複数の異なる入力値が配置された入力値表（３６，４１〜４４，３６′，４２′，４２″）の一部分を所定のスライド方向にスライド可能に表示する入力値一部分表示工程、
（Ｂ02）前記入力値一部分表示領域（３４ａ）に表示された前記入力値表（３６，４１〜４４，３６′，４２′，４２″）の一部分である入力値表示部分をスライドさせる入力値表示部分スライド工程、
（Ｂ03）前記入力値一部分表示領域（３４ａ）に表示された前記入力値が選択されたことを検出する入力値選択検出工程、
（Ｂ04）前記入力値選択検出部材（１６ｂ）の検出信号に応じて前記選択された入力値を検出する選択入力値検出工程
（Ｂ05）前記選択された入力値である選択入力値を選択された順に一時記憶する選択入力値一時記憶工程、
（Ｂ06）前記選択入力値一時記憶メモリ（Ｃ８Ｃ１）に記憶された選択入力値がパスワード記憶メモリ（Ｃ８Ｄ１）に記憶されたパスワードとして正しいか否かを判別するパスワード判別工程。
【００１８】
（第２発明の作用）
前記工程（Ｂ01）〜（Ｂ06）を備えた第２発明のパスワード入力方法では、入力値一部分表示工程は、所定の規則性を持って複数の異なる入力値が配置された入力値表（３６，４１〜４４，３６′，４２′，４２″）の一部分を所定のスライド方向にスライド可能に表示する。
入力値表示部分スライド工程は、前記入力値一部分表示領域（３４ａ）に表示された前記入力値表（３６，４１〜４４，３６′，４２′，４２″）の一部分である入力値表示部分をスライドさせる。
入力値選択検出工程は、前記入力値一部分表示領域（３４ａ）に表示された前記入力値が選択されたことを検出する。
選択入力値検出工程は、前記入力値選択検出部材（１６ｂ）の検出信号に応じて前記選択された入力値を検出する。
選択入力値一時記憶工程は、前記選択された入力値である選択入力値を選択された順に一時記憶する。
パスワード判別工程は、前記選択入力値一時記憶メモリ（Ｃ８Ｃ１）に記憶された選択入力値がパスワード記憶メモリ（Ｃ８Ｄ１）に記憶されたパスワードとして正しいか否かを判別する。
【００１９】
前述の第２発明のパスワード入力方法は、入力値表（３６，４１〜４４，３６′，４２′，４２″）の複数の入力値が所定の規則性を持って配置されているため、一般の利用者がパスワード入力に戸惑うことがない。前記入力値一部分表示領域（３４ａ）に表示される入力値表示部分は、前記入力値表（３６，４１〜４４，３６′，４２′，４２″）の一部分であるため、カナ、英語、記号等の入力要素（アイコン等）が多数必要なパスワードでも省スペースで実施可能である。
また、第２発明のパスワード入力方法は、利用者の所望する方向に前記入力値一部分表示領域（３４ａ）の入力値表示部分をスライドさせることができるので、前記利用者がパスワード入力を違和感なく実行することができる。さらに、前記入力値一部分表示領域（３４ａ）の入力値表示部分をスライドさせることにより、特定の位置に固定の入力値がないため、ショルダーサーフィン等によるパスワードの盗難を低減させることができる。
【発明の効果】
【００２０】
前述の本発明は、下記の効果（Ｅ01）を奏する。
（Ｅ01）利用者がパスワード入力に戸惑うことなく、且つショルダーサーフィン等によるパスワードの盗難がされにくいパスワード入力装置およびパスワード入力方法を提供することができる。
【発明を実施するための最良の形態】
【００２１】
次に図面を参照しながら、本発明の実施の形態の具体例（実施例）を説明するが、本発明は以下の実施例に限定されるものではない。
【実施例１】
【００２２】
図１は実施例１のパスワード入力装置の説明図である。
図１において、取引履歴情報管理システムＳは、金融機関の情報管理センターに設置され、金融機関の顧客情報や金銭情報を管理する従来公知のデータベースサーバ１を有する。前記データベースサーバ１は、専用の通信回線２を介して、コンビニエンスストア３の店舗内に設置されたＡＴＭ（パスワード入力装置、現金自動預払機）４や、その他の場所（銀行の各支店や施設内のキャッシュコーナー等）に配置されたＡＴＭ６に接続されている。なお、実施例１の取引履歴情報管理システムＳでは、データベースサーバ１と各ＡＴＭ４，６との間は情報を暗号化して送受信している。
【００２３】
前記データベースサーバ１は、コンピュータ本体Ｈ１、ディスプレイＨ２、キーボード（入力装置）Ｈ３、マウス（入力装置）Ｈ４、図示しないＨＤドライブ（ハードディスクドライブ）、ＣＤドライブ（コンパクトディスクドライブ）、およびＦＤドライブ（フレキシブルディスクドライブ）等により構成されている。
前記ＡＴＭ４，６は、キャッシュカードが出し入れされるカード出入口１１と、利用明細票が出力される利用明細票排出口１２と、紙幣を出し入れするための紙幣出入口１３と、硬貨を出し入れするための硬貨出入口１４と、ユーザの入力を受け付けると共にユーザの入力に応じて所定の画像が表示される表示器１６ａに重ねて配置されたタッチパネル（入力値選択検出部材）１６ｂと、テンキーや「確認」キー、「訂正」キー等で構成された入力キー１７とを有する。また、ＡＴＭ４，６の内部には、投入された金銭または引き出し用の金銭が収容される金銭収容部や、金銭を計数する金銭計数装置４ｂ（後述の図２参照）、利用明細票の印刷装置４ｄ、カード出入装置４ｃ、金銭出入口１３，１４を開閉する金銭出入口開閉装置４ａ等が配置されている。なお、金融機関の各店舗等に設置されたＡＴＭ６は、従来公知のＡＴＭにより構成されており、通帳を出し入れするための通帳出入口１８が設けられている。
前記表示器１６ａおよびタッチパネル１６ｂにより、実施例１の暗証番号入力画面表示操作部（パスワード入力画面表示操作部）１６が構成されている。
【００２４】
（ＡＴＭ４の機能）
図２は前記図１に示すパスワード入力装置としてのＡＴＭの機能をブロック図（機能ブロック図）で示した図である。
図２において、ＡＴＭ４のコントローラは、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ）、必要なデータを一時的に記憶するためのＲＡＭ（ランダムアクセスメモリ）、ハードディスクやＲＯＭ等に記憶されたプログラムに応じた処理を行うＣＰＵ（中央演算処理装置）、ならびにクロック発振器等を有している。
前記構成のＡＴＭ４は、前記ハードディスクやＲＯＭ等に記憶されたプログラムを実行することにより種々の機能を実現することができる。
【００２５】
前記ＡＴＭ４のハードディスクドライブ等には、表示器１６ａの画面表示面に重ねて配置されたタッチパネル１６ｂからの入力に応じて、通信回線２やケーブルを介して情報を送受信したり、表示器１６ａに画像を表示するＡＴＭ制御プログラム（取引履歴照会プログラム）Ｐが記憶されている。前記ＡＴＭ制御プログラムＰは、次の各機能実現手段（プログラムモジュール）を有している。前記ＡＴＭ制御プログラムＰの各種機能を実現する機能実現手段を次に説明する。
【００２６】
（ＡＴＭ制御プログラムＰの機能）
Ｃ１：画面表示手段
画面表示手段Ｃ１は、取引初期画面表示手段Ｃ１Ａと、カード挿入要求画面表示手段Ｃ１Ｂと、カード受付不能画面表示手段Ｃ１Ｃと、暗証番号入力画面表示手段Ｃ１Ｄと、暗証番号不一致画面表示手段Ｃ１Ｅとを有し、ユーザの入力や通信回線２を介して受信した情報に応じた画面を表示器１６ａに表示する。なお、表示器１６ａの画像表示面には、タッチパネル１６ｂが重ねて配置されている。
【００２７】
図３は実施例１のＡＴＭの表示器に表示される画面の説明図であり、図３Ａは取引初期画面の説明図、図３Ｂはカード挿入要求画面の説明図、図３Ｃはカード受付不能画面の説明図、図３Ｄは暗証番号不一致画面の説明図である。
図４は実施例１のＡＴＭの表示器に表示される画面の説明図であり、図４Ａは暗証番号入力画面の説明図、図４Ｂは入力値表の説明図である。
Ｃ１Ａ：取引初期画像表示手段
取引初期画像表示手段Ｃ１Ａは、取引が開始される前にＡＴＭ４の表示器１６ａに取引初期画面３１（図３Ａ参照）を表示する。実施例１の取引初期画面３１は、金銭の預入処理を開始するための預入アイコン３１ａと、金銭の引出処理を開始するための引出アイコン３１ｂと、残高照会の処理を開始するための残高照会アイコン３１ｃと、を有する。
【００２８】
Ｃ１Ｂ：カード挿入要求画面表示手段
カード挿入要求画面表示手段Ｃ１Ｂは、前記取引初期画面３１（図３Ａ参照）で各種入力がされて取引が開始された場合にキャッシュカードの挿入を促すカード挿入告知画像３２（図３Ｂ参照）を表示器１６ａに表示する。実施例１のカード挿入要求画面３２は、取引を中止（キャンセル）するキャンセルアイコン３２ａを有する。
Ｃ１Ｃ：カード受付不能画面表示手段
カード受付不能画面表示手段Ｃ１Ｃは、挿入されたカードが未対応の金融機関のカードである場合等でカードを受け付けることができないことを告知するカード受付不能画面３３（図３Ｃ参照）を表示する。
【００２９】
Ｃ１Ｄ：暗証番号入力画面表示手段
暗証番号入力画面表示手段Ｃ１Ｄは、引出や残高照会の取引を行う場合に、認証用の暗証番号を入力するための暗証番号入力画面３４（図４Ａ参照）を表示する。図４Ａにおいて、実施例１の暗証番号入力画面３４は、暗証番号の入力値表３６（図４Ｂ参照）の一部が表示される入力値一部分表示領域３４ａと、前記入力値一部分表示領域３４ａに表示される入力値表３６の入力値（０〜９，＊，♯）の一部分（入力値表示部分）をユーザの入力により上側または下側にスライドさせる上側スライド用アイコン（スライド用入力操作部）３４ｂおよび下側スライド用アイコン（スライド用入力操作部）３４ｃと、入力値が選択された場合に図形または記号等（例えば「Δ」）が表示される暗証番号表示欄３４ｄと、暗証番号入力を中止するためのキャンセルアイコン３４ｅと、ユーザが暗証番号入力を確認したことを入力するための確認アイコン３４ｆと、を有している。
なお、前記入力値一部分表示領域３４ａには、図４Ｂに示す入力値表３６の入力値（０〜９，＊，♯）の一部が表示される。前記入力値表３６の入力値は、縦４行、横３列のマトリクスに０〜９，＊，♯の入力値が所定の規則性を持って配置されている。
【００３０】
Ｃ１Ｅ：暗証番号不一致画面表示手段
暗証番号不一致画面表示手段Ｃ１Ｅは、ユーザの入力ミス等により入力した暗証番号が前記データベースサーバ１に記憶（登録）されている暗証番号と一致しなかった場合に暗証番号が不一致であることを告知する暗証番号不一致画面３７（図３Ｄ参照）を表示する。
Ｃ２：金銭出入口開閉制御手段
金銭出入口開閉制御手段Ｃ２は、預入や引出時に金銭出入口開閉装置４ａを制御して、金銭出入口１３，１４を開放、閉塞する。
Ｃ３：金銭計数装置制御手段
金銭計数装置制御手段Ｃ３は、預入や引出時に金銭計数装置４ｂを制御して、預け入られた紙幣や引き出す紙幣を計数する。
Ｃ４：カード出入制御手段
カード出入制御手段Ｃ４は、キャッシュカードが挿入されたか否かを判別するカード挿入判別手段Ｃ４Ａと、挿入されたキャッシュカードが受付可能なカードであるか否かを判別するカード受付判別手段Ｃ４Ｂとを有し、預入、引出等の取引を行う時にカード出入装置４ｃを制御して、カード出入口１１からカードを出入する。
Ｃ５：利用明細票印刷制御手段
利用明細票印刷制御手段Ｃ５は、預入や引出の取引が終了した場合や残高照会で印刷を指定した場合に、利用明細票印刷装置４ｄを制御して、取引内容に応じた利用明細票を印刷して利用明細票排出口１２（図１参照）から排出する。
【００３１】
Ｃ６：ＡＴＭ側情報送信手段
ＡＴＭ側情報送信手段Ｃ６は、預入情報照会手段Ｃ６Ａと、引出情報照会手段Ｃ６Ｂと、残高照会手段Ｃ６Ｃと、取引履歴照会手段Ｃ６Ｄと、を有し、ユーザの入力に応じてデータベースサーバ１との間で所定の情報を送受信する。
Ｃ６Ａ：預入情報照会手段
預入情報照会手段Ｃ６Ａは、データベースサーバ１に対して口座番号や暗証番号等の情報を含む前記預入情報を送信し、預入情報の照会（問合せ）を行う。
Ｃ６Ｂ：引出情報照会手段
引出情報照会手段Ｃ６Ｂは、データベースサーバ１に対して口座番号や暗証番号、引出金額等の情報を含む前記引出情報を送信し、引出情報の照会（問合せ）を行う。
【００３２】
Ｃ６Ｃ：残高照会手段
残高照会手段Ｃ６Ｃは、データベースサーバ１に対して口座番号や暗証番号等の情報を含む前記残高照会情報を送信し、残高の照会（問合せ）を行う。
Ｃ６Ｄ：取引履歴照会手段
取引履歴照会情報送信手段Ｃ６Ｄは、データベースサーバ１に対して口座番号や暗証番号等の情報を含む前記取引履歴情報を送信し、取引履歴の照会（問合せ）を行う。
Ｃ７：ＡＴＭ側情報受信手段
ＡＴＭ側情報受信手段Ｃ７は、預入照会結果受信手段Ｃ７Ａと、引出照会結果受信手段Ｃ７Ｂと、残高照会結果受信手段Ｃ７Ｃと、取引履歴照会結果受信手段Ｃ７Ｄとを有し、データベースサーバ１から送信された各種照会結果を受信し、記憶する。
【００３３】
Ｃ７Ａ：預入照会結果受信手段
預入照会結果受信手段Ｃ７Ａは、データベースサーバ１から送信された前記預入照会結果を受信する。
Ｃ７Ｂ：引出照会結果受信手段
引出照会結果受信手段Ｃ７Ｂは、データベースサーバ１から送信された前記引出照会結果を受信する。
Ｃ７Ｃ：残高照会結果受信手段
残高照会結果受信手段Ｃ７Ｃは、データベースサーバ１から送信された前記残高照会結果を受信する。
Ｃ７Ｄ：取引履歴照会結果受信手段
取引履歴照会結果受信手段Ｃ７Ｄは、データベースサーバ１から送信された前記取引履歴照会結果を受信する。
【００３４】
Ｃ８：暗証番号入力手段
暗証番号入力手段Ｃ８は、入力値初期表示部分設定手段Ｃ８Ａと、入力値表示部分スライド手段Ｃ８Ｂと、選択入力値検出記憶手段Ｃ８Ｃと、パスワード判別手段Ｃ８Ｄと、外端入力値表示手段Ｃ８Ｅとを有している。
Ｃ８Ａ：入力値初期表示部分設定手段
入力値初期表示部分設定手段Ｃ８Ａは、暗証番号（パスワード）入力時に表示される暗証番号入力画面（パスワード入力画面）３４（図４Ａ参照）において、入力値一部分表示領域３４ａのａ１に表示する初期入力値（１，４，７）をランダムに設定する。
Ｃ８Ｂ：入力値表示部分スライド手段
入力値表示部分スライド手段Ｃ８Ｂは、前記暗証番号入力画面３４において、上側スライド用アイコン３４ｂまたは下側スライド用アイコン３４ｃが入力された場合、その入力に応じて前記入力値一部分表示領域３４ａに表示された入力値（０〜９，＊，♯）を上側または下側にスライドさせて、前記表示された入力値に隣接して配置された他の部分の入力値を前記入力値一部分表示領域３４ａに表示する。
【００３５】
Ｃ８Ｃ：選択入力値検出記憶手段
選択入力値検出記憶手段Ｃ８Ｃは、選択入力値一時記憶メモリＣ８Ｃ１を有している。前記選択入力値検出記憶手段Ｃ８Ｃは、前記暗証番号入力画面３４において、前記タッチパネル１６ｂの検出信号に応じて選択（入力）された入力値（０〜９，＊，♯）を検出する。選択された前記入力値は、前記選択入力値一時記憶メモリＣ８Ｃ１に選択された順に一時記憶される。
Ｃ８Ｄ：パスワード判別手段
パスワード判別手段Ｃ８Ｄは、パスワードを記憶するパスワード記憶メモリＣ８Ｄ１を有している。前記パスワード判別手段Ｃ８Ｄは、前記選択入力値一時記憶メモリＣ８Ｃ１に一時記憶されたパスワード（入力値）が前記パスワード記憶メモリＣ８Ｄ１に記憶されたパスワードと同一か否かを判別する。
【００３６】
Ｃ８Ｅ：外端入力値表示手段
外端入力値表示手段Ｃ８Ｅは、前記暗証番号入力画面３４において、前記入力値一部分表示領域３４ａのａ１（図４Ａ参照）の入力値が「１」の場合、前記上側スライド用アイコン３４ｂを白抜きにして無効にする。前記入力値一部分表示領域３４ａのａ１の入力値が「７」の場合、前記下側スライド用アイコン３４ｃを白抜きにして無効にする。
したがって、前記外端入力値表示手段Ｃ８Ｅは、前記入力値表３６のスライド方向外端（上端または下端）に配置された入力値が前記入力値一部分表示領域３４ａに表示された場合には、表示された入力値が外端に配置された入力値であることを表示する。
【００３７】
（実施例１のフローチャートの説明）
（ＡＴＭのフローチャートの説明）
図５は実施例１のＡＴＭのメインフローチャートである。
図５のフローチャートの各ＳＴ（ステップ）の処理は、前記ＡＴＭ４のＲＯＭまたはハードディスク等に記憶されたプログラムに従って行われる。
【００３８】
図５に示すメインフローチャートはＡＴＭ４の電源オンにより開始される。
図５のＳＴ１において、表示器１６ａ（図２参照）に取引初期画面（図３Ａ参照）３１を表示する。
ＳＴ２において、前記取引初期画面３１でアイコン３１ａ〜３１ｃが選択されたか否かを判別する。ノー（Ｎ）の場合はＳＴ２を繰り返し実行し、イエス（Ｙ）の場合はＳＴ３に移る。
ＳＴ３において、前記表示器１６ａにカード挿入要求画面（図３Ｂ参照）３２を表示する。
ＳＴ４において、カード出入口１１にカードが挿入されたか否かを判別する。ノー（Ｎ）の場合はＳＴ５に移り、イエス（Ｙ）の場合はＳＴ６に移る。
【００３９】
ＳＴ５において、前記カード挿入要求画面３２のキャンセルアイコン３２ａが選択されたか否かを判別する。ノー（Ｎ）の場合は前記ＳＴ４に戻り、イエス（Ｙ）の場合は前記ＳＴ１に戻る。
ＳＴ６において、前記カード出入口１１から挿入されたカードが受付可能なカードか否かを判別する。ノー（Ｎ）の場合はＳＴ７に移り、イエス（Ｙ）の場合はＳＴ8に移る。
ＳＴ７において、前記表示器１６ａにカード受付不能画面（図３Ｃ参照）３３を表示し、ＳＴ１０に移る。
ＳＴ８において、前記ＳＴ２で入力（選択）されたアイコンが取引初期画面３１の預入アイコン３１ａか否かを判別する。ノー（Ｎ）の場合はＳＴ１１に移り、イエス（Ｙ）の場合はＳＴ９に移る。
【００４０】
ＳＴ９において、預入処理を実行し、前記ＳＴ１０に移る。なお、前記預入処理は、一般的に使用されているＡＴＭの預入処理と同様であるため、詳細な説明については省略する。
ＳＴ１０において、挿入されたカードを前記カード出入口１１から排出し、前記ＳＴ１に戻る。
ＳＴ１１において、暗証番号入力処理を実行する。なお、前記暗証番号入力処理は、後述の図６（ＳＴ１１のサブルーチン）において説明する。
ＳＴ１２において、前記ＳＴ１１で入力された暗証番号が前記パスワード記憶メモリＣ８Ｄ１（図２参照）に記憶された暗証番号（パスワード）と同一か否かを判別する。ノー（Ｎ）の場合はＳＴ１３に移り、イエス（Ｙ）の場合はＳＴ１４に移る。
【００４１】
ＳＴ１３において、前記表示器１６ａに暗証番号不一致画面３７（図３Ｄ参照）を表示して、前記ＳＴ１０に移る。
ＳＴ１４において、前記ＳＴ２で入力（選択）されたアイコンが取引初期画面３１の引出アイコン３１ｂか否かを判別する。ノー（Ｎ）の場合はＳＴ１６に移り、イエス（Ｙ）の場合はＳＴ１５に移る。
ＳＴ１５において、引出処理を実行し、前記ＳＴ１０に移る。なお、前記引出処理は、一般的に使用されているＡＴＭの処理と同様であるため、詳細な説明については省略する。
ＳＴ１６において、残高照会処理を実行し、前記ＳＴ１０に移る。なお、前記残高照会処理は、一般的に使用されているＡＴＭの処理と同様であるため、詳細な説明については省略する。
【００４２】
（図５のＳＴ１１の暗証番号入力処理のサブルーチンの説明）
図６は実施例１の暗証番号入力処理のサブルーチンであり、前記図５のＳＴ１１のサブルーチンである。
図６のフローチャートの各ＳＴ（ステップ）の処理は、前記ＡＴＭ４のＲＯＭやハードディスク等に記憶されたプログラムに従って行われる。
【００４３】
図６のＳＴ２１において、乱数を発生させて値Ｒを取得する。
ＳＴ２２において、ＭＯＤ（Ｒ，３）＝０か否かを判別する。すなわち、前記ＭＯＤ（Ｒ，３）＝０は、前記ＳＴ２１で取得した値Ｒを３で割った時の余りが０であることを意味する。ノー（Ｎ）の場合はＳＴ２４に移り、イエス（Ｙ）の場合はＳＴ２３に移る。
ＳＴ２３において、入力値「１」を入力値表示領域３４ａの「ａ１」に設定して暗証番号入力画面３４（図４Ａ参照）を表示器１６ａに表示して、ＳＴ２７に移る。
ＳＴ２４において、ＭＯＤ（Ｒ，３）＝１か否かを判別する。すなわち、前記ＭＯＤ（Ｒ，３）＝１は、前記ＳＴ２１で取得した値Ｒを３で割った時の余りが１であることを意味する。ノー（Ｎ）の場合はＭＯＤ（Ｒ，３）＝２であることを意味し、この場合はＳＴ２６に移り、イエス（Ｙ）の場合はＳＴ２５に移る。
【００４４】
ＳＴ２５において、入力値「４」を入力値表示領域３４ａの「ａ１」に設定して暗証番号入力画面３４を表示器１６ａに表示して、ＳＴ２７に移る。
前記ＭＯＤ（Ｒ，３）＝２の場合であるＳＴ２６において、入力値「７」を入力値表示領域３４ａの「ａ１」に設定して暗証番号入力画面３４を表示器１６ａに表示して、ＳＴ２７に移る。
ＳＴ２７において、前記暗証番号入力画面３４の確認アイコン３４ｆが入力されたか否かを判別する。ノー（Ｎ）の場合はＳＴ２８に移り、イエス（Ｙ）の場合は前記図５のＳＴ１２に移る。
ＳＴ２８において、前記暗証番号入力画面３４のキャンセルアイコン３４ｅが入力されたか否かを判別する。ノー（Ｎ）の場合はＳＴ２９に移り、イエス（Ｙ）の場合は前記図５のＳＴ１に戻る。
ＳＴ２９において、前記入力値一部分表示領域３４ａに表示中の入力値が選択されたか否かをタッチパネル１６ｂ（図２参照）の検出信号により判別する。ノー（Ｎ）の場合はＳＴ３１に移り、イエス（Ｙ）の場合はＳＴ３０に移る。
【００４５】
ＳＴ３０において、選択された入力値を前記タッチパネル１６ｂの検出信号と前記入力値一部分表示領域３４ａに表示中の入力値とにより検出して一時記憶メモリＣ８Ｃ１に記憶し、暗証番号表示欄３４ｄに図形「Δ」を表示する。そして、前記ＳＴ２７に戻る。
ＳＴ３１において、前記暗証番号入力画面３４の上側スライド用アイコン３４ｂが選択（入力）されたか否かを判別する。ノー（Ｎ）の場合はＳＴ３５に移り、イエス（Ｙ）の場合はＳＴ３２に移る。
ＳＴ３２において、次の処理（１），（２）を実行して、ＳＴ３３に移る。
（１）下側スライド用アイコン３４ｃが無効の場合は有効にする。
（２）前記入力値一部分表示領域３４ａに表示される前記入力値表３６（図４Ｂ参照）の表示部分を上側に一行スクロールさせる。
ＳＴ３３において、入力値一部分表示領域３４ａの「ａ１」に表示された入力値が「１」か否かを判別する。ノー（Ｎ）の場合は前記ＳＴ２７に戻り、イエス（Ｙ）の場合はＳＴ３４に移る。
ＳＴ３４において、上側スライド用アイコン３４ｂを白抜きにして無効にする。そして、前記ＳＴ２７に戻る。
【００４６】
ＳＴ３５において、下側スライド用アイコン３４ｃが選択（入力）されたか否かを判別する。ノー（Ｎ）の場合は前記ＳＴ２７に戻り、イエス（Ｙ）の場合はＳＴ３６に移る。
ＳＴ３６において、次の処理（１），（２）を実行して、ＳＴ３７に移る。
（１）上側スライド用アイコン３４ｂが無効の場合は有効にする。
（２）前記入力値一部分表示領域３４ａに表示される前記入力値表３６（図４Ｂ参照）の表示部分を下側に一行スクロールさせる。
ＳＴ３７において、入力値一部分表示領域３４ａの「ａ１」に表示された入力値が「７」か否かを判別する。ノー（Ｎ）の場合は前記ＳＴ２７に戻り、イエス（Ｙ）の場合はＳＴ３８に移る。
ＳＴ３８において、下側スライド用アイコン３４ｃを白抜きにして無効にする。そして、前記ＳＴ２７に戻る。
【００４７】
前記ＳＴ２１〜２６において、前記表示器１６ａに暗証番号入力画面を表示する際、前記入力値一部分表示領域３４ａに表示する前記入力値表３６の一部分（表示部分）をランダムに設定する入力値表示部分ランダム設定工程が実行される。
前記ＳＴ２３，２５，２６において、所定の規則性を持って複数の異なる入力値が配置された入力値表３６（図４Ｂ参照）の一部分が所定のスライド方向にスライド可能に表示される入力値一部分表示領域３４ａと、前記入力値一部分表示領域３４ａに表示される前記入力値表３６の一部分である入力値表示部分をスライドさせる上側スライド用アイコン３４ｂおよび下側スライド用アイコン３４ｃと、が表示される実施例１の暗証番号入力画面表示工程（パスワード入力画面表示工程）が実行される。
前記ＳＴ３１，３２，３５，３６において、前記上側スライド用アイコン３４ｂまたは下側スライド用アイコン３４ｃが操作された時に前記操作に応じて前記入力値一部分表示領域３４ａに表示された前記入力値表３６の一部分である前記入力値表示部分がスライドしたときに前記入力値表３６の前記一部分に隣接して配置された他の部分を前記入力値一部分表示領域３４ａにスライドさせて表示する入力値表示部分スライド工程が実行される。
【００４８】
前記ＳＴ２９において、前記入力値一部分表示領域３４ａに表示された前記入力値が選択されたことを検出する入力値選択検出工程と、前記タッチパネル１６ｂの検出信号とそのとき前記入力値一部分表示領域３４ａに表示中の入力値とに応じて前記選択された入力値を検出する選択入力値検出手工程と、が実行される。
前記ＳＴ３０において、前記選択された入力値である選択入力値を選択された順に一時記憶する選択入力値一時記憶工程が実行される。
前記図５のＳＴ１２において、前記選択入力値一時記憶メモリＣ８Ｃ１（図２参照）に記憶された選択入力値がパスワード記憶メモリＣ８Ｄ１に記憶されたパスワードとして正しいか否かを判別するパスワード判別工程が実行される。
実施例１のパスワード入力方法は、前記入力値表示部分ランダム設定工程、暗証番号入力画面表示工程、入力値表示部分スライド工程、入力値選択検出工程、選択入力値検出手工程、選択入力値一時記憶工程およびパスワード判別工程等を有している。
【００４９】
（実施例１の作用）
前記構成を備えた実施例１のＡＴＭ（パスワード入力装置）４では、入力値表３６が所定の入力規則を維持しているため、入力値一部分表示領域３４ａに表示される入力値が一部分でも、一般の利用者がパスワード入力に戸惑うことがない。
前記ＡＴＭ４の利用者は、上側スライド用アイコン３４ｂまたは下側スライド用アイコン３４ｃを操作することにより、自分の意志で前記入力値一部分表示領域３４ａに表示される入力値表３６の表示部分をスライドさせることができるので、入力値表示部分をスライドさせてもパスワード入力を戸惑うことなく実行することができる。
【００５０】
前記入力値一部分表示領域３４ａに表示される入力値表３６の表示部分をスライドさせた際、前記入力値表３６の外端（すなわち、ａ１部に表示された入力値が１または７のとき）が前記入力値一部分表示領域３４ａに表示されると、上側スライド用アイコン３４ｂまたは下側スライド用アイコン３４ｃを白抜きにして操作無効とするので、前記利用者に外端が明示されるのでパスワード入力に戸惑うことがない。
前記暗証番号入力画面３４（図４Ａ参照）において、最初に表示される前記入力値表３６の表示部分がランダムに設定されるため、特定の位置に固定の入力値がない。さらに、前記入力値一部分表示領域３４ａの入力値表示部分を利用者がスライドさせることにより、ショルダーサーフィン等によるパスワードの盗難を低減させることができる。また、パスワード入力操作後の前記暗証番号入力画面３４において、入力跡（暗証番号入力画面３４表面上の指紋等）によるパスワード推測が困難になるため、パスワード盗難を低減させることができる。
【００５１】
（実施例１の変更例１）
図７は前記実施例１の図４に対応する図で前記実施例１の変更例１のＡＴＭ（パスワード入力装置）の説明図であり、図７Ａは変更例１の暗証番号入力画面の要部拡大図、図７Ｂは変更例１の入力値表の説明図である。
なお、この実施例１のＡＴＭの変更例１の説明において、前記実施例１のＡＴＭの構成要素に対応する構成要素には同一の符号を付して、その詳細な説明を省略する。
この実施例１の変更例１は、下記の点で前記実施例１と相違しているが、他の点では前記実施例１と同様に構成されている。
前記実施例１では、暗証番号の入力値として数字を使用したが、変更例１では、入力値としてカナが使用されている。なお、前記カナとしては、平仮名を使用しているが片仮名を使用することが可能である。
【００５２】
図７Ａにおいて、変更例１のＡＴＭの暗証番号入力画面３４には、前記上側スライド用アイコン３４ｂの上側に上側大幅スライド用アイコン３４ｂ′が配置されており、前記下側スライド用アイコン３４ｃの下側に下側大幅スライド用アイコン３４ｃ′が配置されている。
前記入力値一部分表示領域３４ａの下側には、入力値表４１（図７Ｂ参照）の表示部分を左側に１列スライドさせる左側スライド用アイコン３４ｇと、前記入力値表４１の表示部分を右側に１列スライドさせるための右側スライド用アイコン３４ｈと、が配置されている。
【００５３】
前記左側スライド用アイコン３４ｇの左側には、左側大幅スライド用アイコン３４ｇ′が配置されており、前記右側スライド用アイコン３４ｈの右側には、右側大幅スライド用アイコン３４ｈ′が配置されている。
図７Ｂにおいて、実施例１の変更例１のＡＴＭの入力値表４１には、入力値としてカナ（平仮名）を使用しており、縦１０行、横１０列のマトリクスにカナの入力値が所定の規則性を持って配置されている。
前記入力値一部分表示領域３４ａには、縦５行、横５列のマトリクスに前記入力値表４１の一部分が表示される。
【００５４】
（実施例１の変更例１の作用）
実施例１の変更例１のＡＴＭ（パスワード入力装置）４では、前記暗証番号入力画面３４において、前記上側大幅スライド用アイコン３４ｂ′、下側大幅スライド用アイコン３４ｃ′、左側大幅スライド用アイコン３４ｇ′および右側大幅スライド用アイコン３４ｈ′のいずれかを利用者が選択（入力）することにより、前記選択に応じて上下左右のいずれかに大幅（例えば５列または５行）にスライドさせることができる。したがって、入力要素（アイコン等）が多数必要なパスワードとしてカナ（平仮名）を採用した場合でも、左側大幅スライド用アイコン３４ｇ′および右側大幅スライド用アイコン３４ｈ′により、大幅にスライドさせることができるため、選択したい入力値（カナ）を前記入力値一部分表示領域３４ａに短時間で表示して選択可能となるので、利便性を損なわずにパスワード入力ができる。
さらに、実施例１の変更例１のＡＴＭ（パスワード入力装置）４では、前記入力値一部分表示領域３４ａに表示される入力値表示部分は、入力値表４１の一部分であるため入力要素（アイコン等）が多数必要なパスワードとしてカナ（平仮名）を採用した場合でも省スペースで実施可能である。
その他、実施例１の変更例１のＡＴＭ４は、前記実施例１のＡＴＭ４と同様の作用効果（ショルダーサーフィン等によるパスワードの盗難を低減させる等）を奏する。
【００５５】
（実施例１の変更例２）
図８は実施例１の変更例２〜４のＡＴＭの説明図であり、図８Ａは実施例１の変更例２のＡＴＭの暗証番号入力画面の要部拡大図、図８Ｂは変更例２のＡＴＭの入力値表の説明図、図８Ｃは変更例３のＡＴＭの暗証番号入力画面の要部拡大図、図８Ｄは変更例４のＡＴＭの暗証番号入力画面の要部拡大図である。
なお、この実施例１の変更例２の説明において、前記実施例１の変更例１（図７参照）の構成要素に対応する構成要素には同一の符号を付して、その詳細な説明を省略する。
この実施例１の変更例２のＡＴＭは、下記の点で前記実施例１の変更例１のＡＴＭと相違しているが、他の点では前記実施例１の変更例１と同様に構成されている。
【００５６】
図８Ａにおいて、実施例１の変更例２の暗証番号入力画面３４には、前記図７Ａに示す変更例１の左側スライド用アイコン３４ｇ、右側スライド用アイコン３４ｈ、左側大幅スライド用アイコン３４ｇ′および右側大幅スライド用アイコン３４ｈ′が設けられていない。
図８Ｂにおいて、実施例１の変更例２の入力値表４２は、縦１５行、横５列のマトリクスにカナ（平仮名）の入力値が所定の規則性を持って配置されている。
図８Ａにおいて、前記入力値一部分表示領域３４ａには、縦３行、横５列のマトリクスに前記入力値表４２の一部分が表示される。
その他、実施例１の変更例２のＡＴＭ４は、前記実施例１の変更例１のＡＴＭ４と同様の作用効果（ショルダーサーフィン等によるパスワードの盗難を低減させる等）を奏する。
【００５７】
（実施例１の変更例３）
図８Ｃに示すこの実施例１の変更例３のＡＴＭの説明において、前記実施例１の変更例１の構成要素に対応する構成要素には同一の符号を付して、その詳細な説明を省略する。
この実施例１の変更例３は、下記の点で前記実施例１の変更例１と相違しているが、他の点では前記実施例１の変更例１と同様に構成されている。
図８Ｃにおいて、実施例１の変更例３のＡＴＭの入力値一部分表示領域３４ａには、縦３行、横３列のマトリクスに前記変更例１の入力値表４２（図８Ｂ参照）と同様の入力値表の一部分が表示される。
その他、実施例１の変更例３のＡＴＭ４は、前記実施例１の変更例１のＡＴＭ４と同様の作用効果（ショルダーサーフィン等によるパスワードの盗難を低減させる等）を奏する。
【００５８】
（実施例１の変更例４）
図８Ｄに示すこの実施例１の変更例４のＡＴＭの説明において、前記実施例１の変更例３の構成要素に対応する構成要素には同一の符号を付して、その詳細な説明を省略する。
この実施例１の変更例４は、下記の点で前記実施例１の変更例３と相違しているが、他の点では前記実施例１の変更例３と同様に構成されている。
図８Ｄに示す実施例１の変更例４のＡＴＭにおいて、前記左側スライド用アイコン３４ｇ、右側スライド用アイコン３４ｈ、左側大幅スライド用アイコン３４ｇ′および右側大幅スライド用アイコン３４ｈ′は、入力値一部分表示領域３４ａの右側に配置されている。また、前記スライド用アイコン（３４ｂ，３４ｂ′，３４ｃ，３４ｃ′，３４ｇ，３４ｇ′，３４ｈ，３４ｈ′）は、十字型に配置されている。
その他、実施例１の変更例４のＡＴＭ４は、前記実施例１の変更例３のＡＴＭ４と同様の作用効果（ショルダーサーフィン等によるパスワードの盗難を低減させる等）を奏する。
【００５９】
（実施例１の変更例５）
図９は実施例１の変更例５のＡＴＭの説明図であり、図９Ａは暗証番号入力画面の要部拡大図、図９Ｂは実施例１の変更例５の入力値表の説明図である。
なお、この実施例１の変更例５の説明において、前記実施例１の変更例１の構成要素に対応する構成要素には同一の符号を付して、その詳細な説明を省略する。
この実施例１の変更例５は、下記の点で前記実施例１の変更例１と相違しているが、他の点では前記実施例１の変更例１と同様に構成されている。
前記実施例１の変更例１では、入力値としてカナを使用したが、実施例１の変更例５では、入力値として英語のアルファベット文字が使用されている。
【００６０】
図９Ａにおいて、実施例１の変更例５のＡＴＭでは、前記図７Ａの変更例１に示す暗証番号表示画面３４に上側スライド用アイコン３４ｂ、上側大幅スライド用アイコン３４ｂ′、下側スライド用アイコン３４ｃおよび下側大幅スライド用アイコン３４ｃ′が設けられていない。
図９Ｂにおいて、実施例１の変更例５のＡＴＭの入力値表４３は、英語のアルファベット文字の入力値が所定の規則性を持って配置（キーボード状に配置）されている。
図９Ａにおいて、前記入力値一部分表示領域３４ａには、前記図９Ｂに示す英語のアルファベット文字、数字等の入力値表４３の一部分が表示される。
その他、実施例１の変更例５のＡＴＭ４は、前記実施例１の変更例１のＡＴＭ４と同様の作用効果（ショルダーサーフィン等によるパスワードの盗難を低減させる等）を奏する。
【００６１】
（実施例１の変更例６）
図１０は実施例１の変更例６〜７のＡＴＭの説明図であり、図１０Ａは実施例１の変更例６のＡＴＭの暗証番号入力画面の要部拡大図、図１０Ｂは変更例６の入力値表の説明図、図１０Ｃは実施例１の変更例７のＡＴＭの暗証番号入力画面の要部拡大図、図１０Ｄは変更例７の入力値表４２′の説明図である。
なお、この実施例１の変更例６のＡＴＭの説明において、前記実施例１の図４に示す構成要素に対応する構成要素には同一の符号を付して、その詳細な説明を省略する。
この実施例１の変更例６は、下記の点で図４に示す前記実施例１と相違しているが、他の点では前記実施例１と同様に構成されている。
【００６２】
図１０Ａにおいて、実施例１の変更例６のＡＴＭの暗証番号入力画面３４には、前記図４に示す実施例１の上側スライド用アイコン３４ｂおよび下側スライド用アイコン３４ｃが設けられていない。
前記ＡＴＭ４の表示器１６ａ（図１参照）の下側には、前記入力値一部分表示領域３４ａに表示される入力値表の表示部分を左右方向にスライドさせるためのスライドバー１９が設けられている。
図１０Ｂに示す変更例６の入力値表３６′は、前記実施例１の図４Ｂに示す入力値表を反時計方向に９０°回転させた状態で書く入力値の位置を上下方向に入替えたものに相当する。
前記スライドバー１９を利用者が操作することにより、前記入力値一部分表示領域３４ａに表示される入力値表の表示部分を利用者の望む方向にスライドさせることができる。このため前記利用者は、入力値表示部分を所望の方向にスライドさせながら、パスワード入力を実行することができる。
その他、実施例１の変更例６のＡＴＭ４は、前記実施例１のＡＴＭ４と同様の作用効果（ショルダーサーフィン等によるパスワードの盗難を低減させる等）を奏する。
【００６３】
（実施例１の変更例７）
図１０Ｃに示すこの実施例１の変更例７のＡＴＭの説明において、前記実施例１の変更例４の構成要素に対応する構成要素には同一の符号を付して、その詳細な説明を省略する。
この実施例１の変更例７は、下記の点で前記実施例１の変更例４と相違しているが、他の点では前記実施例１の変更例４（図８Ｂ、図８Ｄ参照）と同様に構成されている。
図１０Ｃに示す実施例１の変更例７おいて、暗証番号入力画面３４には、前記スライド用アイコン（３４ｂ，３４ｂ′，３４ｃ，３４ｃ′，３４ｇ，３４ｇ′，３４ｈ，３４ｈ′）が設けられていない。前記ＡＴＭ４の表示器１６ａの右側には、前記入力値一部分表示領域３４ａに表示される入力値表の表示部分を八方向にスライド可能なスライドバー１９′が設けられている。
図１０Ｄに示す変更例７の入力値表４２′は、前記変更例４の図８Ｂに示す入力値表４２を反時計方向に９０°回転させた状態で各入力値の位置を上下方向に入替えたものに相当する。
前記スライドバー１９′を利用者が操作することにより、前記入力値一部分表示領域３４ａに表示される入力値表の表示部分を利用者の望む方向にスライドさせることができる。このため前記利用者は、入力値表示部分を所望の方向にスライドさせながら、パスワード入力を違和感なく実行することができる。
その他、実施例１の変更例７のＡＴＭ４は、前記実施例１の変更例４のＡＴＭ４と同様の作用効果（ショルダーサーフィン等によるパスワードの盗難を低減させる等）を奏する。
【００６４】
（実施例１の変更例８）
図１１は実施例１の変更例８〜１０のＡＴＭの説明図であり、図１１Ａは実施例１の変更例８の暗証番号入力画面の要部拡大図、図１１Ｂは実施例１の変更例８の入力値表の説明図、図１１Ｃは実施例１の変更例９の要部拡大図、図１１Ｄは変更例９のＡＴＭの入力表の説明図、図１１Ｅは実施例１の変更例１０の要部拡大図である。
なお、図１１Ａ、図１１Ｂに示すこの実施例１の変更例８の説明において、前記実施例１変更例６（図１０Ａ、図１０Ｂ参照）の構成要素に対応する構成要素には同一の符号を付して、その詳細な説明を省略する。
この図１１Ａ、図１１Ｂに示す実施例１の変更例８は、下記の点で図１０Ａ、図１０Ｂに示す前記実施例１の変更例６と相違しているが、他の点では前記実施例１の変更例６と同様に構成されている。
【００６５】
図１１Ａにおいて、実施例１の変更例８の表示器１６ａの右側には、前記入力値一部分表示領域３４ａに表示される入力値表４４（図１１Ｂ参照）の表示部分を上下方向にスライドさせるためのスライドバー１９″が設けられている。
図１１Ｂにおいて、実施例１の変更例８の入力値表４４は、縦２行、横５列のマトリクスに数字の入力値が所定の規則性を持って配置されている。
図１１Ａにおいて、前記入力値一部分表示領域３４ａには、縦１行、横５列のマトリクスに前記入力値表４４の一部分が表示される。前記入力値一部分表示領域３４ａの上側と下側には、前記表示された入力値表４４の一部分に隣接する入力値の一部が表示される。
前記図１０Ａ、図１０Ｂに示す実施例１の変更例６では、前記入力値表の外端の入力値が前記入力値一部分表示領域３４ａに表示されると、前記外端の入力値側にスライドさせることができなかったが、実施例１の変更例８では、前記外端の入力値側にスライドさせると前記入力値表がループして表示される。
前記スライドバー１９″を利用者が操作することにより、前記入力値一部分表示領域３４ａに表示される入力値表の表示部分を利用者の望む方向にスライドさせることができる。その際、前記表示された入力値表４４の一部分に隣接する入力値の一部が表示されているため、利用者が前記スライドバー１９″を操作することにより次に表示される入力値を知ることができる。このため、一般の利用者がパスワード入力に戸惑うことがない。
その他、実施例１の変更例８のＡＴＭ４は、前記実施例１の変更例６のＡＴＭ４と同様の作用効果（ショルダーサーフィン等によるパスワードの盗難を低減させる等）を奏する。
【００６６】
（実施例１の変更例９）
図１１Ｃに示すこの実施例１の変更例９の説明において、前記実施例１の変更例７（図１０Ｃ、図１０Ｄ参照）の構成要素に対応する構成要素には同一の符号を付して、その詳細な説明を省略する。
この実施例１の変更例９は、下記の点で前記実施例１の変更例７と相違しているが、他の点では前記実施例１の変更例７と同様に構成されている。
図１１Ｄに示すこの変更例９のＡＴＭの入力値表４２″は、前記図１０Ｄに示す変更例７の入力値表４２′の右側５列の文字（濁音、半濁音の文字）を省略したものに相当する。
前記実施例１の変更例７では、前記入力値表の外端の入力値が前記入力値一部分表示領域３４ａに表示されると、前記外端の入力値側にスライドさせることができなかったが、実施例１の変更例９のＡＴＭでは、前記外端の入力値側にスライドさせると前記入力値表４２″がループして表示される。
図１１Ｃにおいて、前記外端の入力値とループした入力値とが前記入力値一部分表示領域３４ａに表示された場合、実施例１の変更例９の外端入力値表示手段Ｃ８Ｅ（図２参照）により、前記外端の入力値とループした入力値との間に２重線ａ２が表示される。このため、一般の利用者がパスワード入力に戸惑うことがない。
その他、実施例１の変更例９のＡＴＭ４は、前記実施例１の変更例７のＡＴＭ４と同様の作用効果（ショルダーサーフィン等によるパスワードの盗難を低減させる等）を奏する。
【００６７】
（実施例１の変更例１０）
この実施例１の変更例１０の説明において、前記実施例１の構成要素に対応する構成要素には同一の符号を付して、その詳細な説明を省略する。
図１１Ｅに示すこの実施例１の変更例１０は、下記の点で前記実施例１と相違しているが、他の点では前記実施例１と同様に構成されている。
実施例１の変更例１０の暗証番号表示画面３４には、前記入力値一部分表示領域３４ａの右側に上側スライド用アイコン３４ｂおよび下側スライド用アイコン３４ｃが設けられていない。前記入力値一部分表示領域３４ａの下側には、入力値表３６の表示部分を左右方向にスライドさせるための左側スライド用アイコン３４ｇおよび右側スライド用アイコン３４ｈが設けられている。
また、前記実施例１では、前記入力値表３６の外端の入力値が前記入力値一部分表示領域３４ａに表示されると、前記外端の入力値側にスライドさせることができなかったが、実施例１の変更例１０では、前記外端の入力値側にスライドさせると前記入力値表３６がループして表示される。
【００６８】
図１１Ｅにおいて、前記入力値一部分表示領域３４ａには、縦４行、横２列のマトリクスに前記入力値表３６の一部分が表示される。前記入力値一部分表示領域３４ａの左側と右側には、前記表示された入力値表３６の一部分に隣接する入力値の一部が表示される。このため、利用者は、前記左側スライド用アイコン３４ｇまたは右側スライド用アイコン３４ｈを選択（入力）する際、次に表示される入力値を知ることができる。
また、前記外端の入力値とループした入力値とが前記入力値一部分表示領域３４ａに表示された場合、実施例１の変更例１０の外端入力値表示手段Ｃ８Ｅ（図２参照）により、前記外端の入力値とループした入力値との間に隙間ａ２が表示される。このため、一般の利用者がパスワード入力に戸惑うことがない。
その他、実施例１の変更例１０のＡＴＭ４は、前記実施例１のＡＴＭ４と同様の作用効果（ショルダーサーフィン等によるパスワードの盗難を低減させる等）を奏する。
【００６９】
(変更例)
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01），（Ｈ02）を下記に例示する。
（Ｈ01）前記実施例１および実施例の変更例１〜１０において、パスワード入力装置のパスワード入力画面表示操作部１６を表示器１６ａに隣接して配置されたキーやボタンにより構成することも可能である。
（Ｈ02）前記実施例１および実施例の変更例１〜１０において、パスワード入力方法およびパスワード入力装置をＡＴＭに適用させたがこれに限定されず、マンションの出入口の扉、画像形成装置およびＰＣ（パーソナルコンピュータ）等の暗証番号を入力するパスワード入力装置に適用することが可能である。なお、前記パスワード入力装置としてＰＣ（パーソナルコンピュータ）の場合には、キーボード、マウス、タブレット等がパスワード入力画面表示操作部として使用される。
【図面の簡単な説明】
【００７０】
【図１】図１は実施例１のパスワード入力装置の説明図である。
【図２】図２は前記図１に示すパスワード入力装置としてのＡＴＭの機能をブロック図（機能ブロック図）で示した図である。
【図３】図３は実施例１のＡＴＭの表示器に表示される画面の説明図であり、図３Ａは取引初期画面の説明図、図３Ｂはカード挿入要求画面の説明図、図３Ｃはカード受付不能画面の説明図、図３Ｄは暗証番号不一致画面の説明図である。
【図４】図４は実施例１のＡＴＭの表示器に表示される画面の説明図であり、図４Ａは暗証番号入力画面の説明図、図４Ｂは入力値表の説明図である。
【図５】図５は実施例１のＡＴＭのメインフローチャートである。
【図６】図６は実施例１の暗証番号入力処理のサブルーチンであり、前記図５のＳＴ１１のサブルーチンである。
【図７】図７は前記実施例１の図４に対応する図で前記実施例１の変更例１のＡＴＭ（パスワード入力装置）の説明図であり、図７Ａは変更例１の暗証番号入力画面の要部拡大図、図７Ｂは変更例１の入力値表の説明図である。
【図８】図８は実施例１の変更例２〜４のＡＴＭの説明図であり、図８Ａは実施例１の変更例２のＡＴＭの暗証番号入力画面の要部拡大図、図８Ｂは変更例２のＡＴＭの入力値表の説明図、図８Ｃは変更例３のＡＴＭの暗証番号入力画面の要部拡大図、図８Ｄは変更例４のＡＴＭの暗証番号入力画面の要部拡大図である。
【図９】図９は実施例１の変更例５のＡＴＭの説明図であり、図９Ａは暗証番号入力画面の要部拡大図、図９Ｂは実施例１の変更例５の入力値表の説明図である。
【図１０】図１０は実施例１の変更例６のＡＴＭの説明図であり、図１０Ａは実施例１の変更例６のＡＴＭの暗証番号入力画面の要部拡大図、図１０Ｂは変更例６の入力値表の説明図、図１０Ｃは実施例１の変更例７のＡＴＭの暗証番号入力画面の要部拡大図、図１０Ｄは変更例７の入力値表４２′の説明図である。
【図１１】図１１は実施例１の変更例８〜１０のＡＴＭの説明図であり、図１１Ａは実施例１の変更例８の暗証番号入力画面の要部拡大図、図１１Ｂは実施例１の変更例８の入力値表の説明図、図１１Ｃは実施例１の変更例９の要部拡大図、図１１Ｄは変更例９のＡＴＭの入力表の説明図、図１１Ｅは実施例１の変更例１０の要部拡大図である。
【符号の説明】
【００７１】
１６…パスワード入力画面表示操作部、
１６ｂ…入力値選択検出部材、タッチパネル、
３４…パスワード入力画面、
３４ａ…入力値一部分表示領域、
３４ｂ，３４ｃ…スライド用入力操作部、
３６，４１〜４４，３６′，４２′，４２″…入力値表、
４…パスワード入力装置、
Ｃ８Ａ…入力値表初期表示部分設定手段、
Ｃ８Ｂ…入力値表示部分スライド手段、
Ｃ８Ｃ…選択入力値検出記憶手段、
Ｃ８Ｃ１…選択入力値一時記憶メモリ、
Ｃ８Ｄ…パスワード判別手段、
Ｃ８Ｄ１…パスワード記憶メモリ、
Ｃ８Ｅ…外端入力値表示手段、
【図１】
2007148658.tif 000003
【図２】
2007148658.tif 000004
【図３】
2007148658.tif 000005
【図４】
2007148658.tif 000006
【図５】
2007148658.tif 000007
【図６】
2007148658.tif 000008
【図７】
2007148658.tif 000009
【図８】
2007148658.tif 000010
【図９】
2007148658.tif 000011
【図１０】
2007148658.tif 000012
【図１１】
2007148658.tif 000013